(57)【要約】      （修正有）【課題】免許不要で利用できる特定周波数帯（アンライセンスド周波数）において干渉状況に基づく時間・周波数リソースのユーザ装置への割り当て方法を提供する。【解決手段】ユーザ装置は、アンライセンスド周波数を使用するセカンダリセルを利用するキャリアアグリゲーションの設定に関する第１の情報を基地局から受信する。ユーザ装置は、第１の情報に従ってキャリアアグリゲーションの設定を行う。ユーザ装置は、アンライセンスド周波数を使用するセカンダリセルでの通信を許可するか否かを示す第２の情報を基地局から受信する。ユーザ装置が、通信を許可することを示す前記第２の情報を受信する場合のみ、通信を開始する。【選択図】図7
2020074623.tif 000002
【特許請求の範囲】
【請求項１】
ユーザ装置が、アンライセンスド周波数を使用するセカンダリセルを利用するキャリアアグリゲーションの設定に関する第１の情報を前記基地局から受信するステップと、
前記ユーザ装置が、前記第１の情報に従って前記キャリアアグリゲーションの設定を行うステップと、
前記ユーザ装置が、前記アンライセンスド周波数を使用するセカンダリセルでの通信を許可するか否かを示す第２の情報を前記基地局から受信するステップと、
前記ユーザ装置が、前記通信を許可することを示す前記第２の情報を受信する場合のみ、前記通信を開始するステップと、を備える通信方法。
【請求項２】
アンライセンスド周波数を使用するセカンダリセルを利用するキャリアアグリゲーションの設定に関する第１の情報を前記基地局から受信する受信部と、
前記第１の情報に従って前記キャリアアグリゲーションの設定を行う制御部と、を備え、
前記受信部は、前記アンライセンスド周波数を使用するセカンダリセルでの通信を許可するか否かを示す第２の情報を前記基地局から受信し、
前記制御部は、前記通信を許可することを示す前記第２の情報を受信する場合のみ、前記通信を開始するユーザ装置。
【請求項３】
ユーザ装置を制御するためのプロセッサであって、
アンライセンスド周波数を使用するセカンダリセルを利用するキャリアアグリゲーションの設定に関する第１の情報を前記基地局から受信する処理と、
前記第１の情報に従って前記キャリアアグリゲーションの設定を行う処理と、
前記アンライセンスド周波数を使用するセカンダリセルでの通信を許可するか否かを示す第２の情報を前記基地局から受信する処理と、
前記通信を許可することを示す前記第２の情報を受信する場合のみ、前記通信を開始する処理と、を実行するプロセッサ。
【発明の詳細な説明】
【技術分野】
【０００１】
本出願は、特定周波数帯において通信可能なユーザ装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、急増するトラフィック需要に応えるべく、ＬＴＥ（Ｌｏｎｇ  Ｔｅｒｍ  Ｅｖｏｌｕｔｉｏｎ）を高度化する仕様策定が進められている（例えば非特許文献１参照）。
【０００３】
一方で、免許不要で利用できる特定周波数帯（Ｕｎｌｉｃｅｎｓｅｄ  Ｂａｎｄ／Ｕｎｌｉｃｅｎｓｅｄ  Ｓｐｅｃｔｒｕｍ）が注目されている。移動通信システムにおいて急増するトラフィック需要に応えるための一手段として、上述した特定周波数帯を移動通信に利用することが考えられる。
【先行技術文献】
【非特許文献】
【０００４】
【非特許文献１】３ＧＰＰ技術仕様書「ＴＳ３６．３００  Ｖ１２．０．０」  ２０１４年１月
【発明の概要】
【０００５】
一実施形態に係る基地局は、セルラ通信システムにおいて用いられるユーザ端末と通信可能である。前記基地局は、前記ユーザ端末により測定された免許不要で利用できる特定周波数帯における干渉状況を示す第１の測定報告を取得し、前記第１の測定報告に基づいて、前記特定周波数帯における時間・周波数リソースを前記ユーザ端末に割り当てる制御部を備える。
【図面の簡単な説明】
【０００６】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、実施形態に係るプロトコルスタック図である。
【図５】図５は、実施形態に係る無線フレームの構成図である。
【図６】図６は、本実施形態に係る特定周波数帯における通信を説明するための図である。
【図７】図７は、第１実施形態に係る動作を説明するためのシーケンス図である。
【図８】図８は、第１実施形態の変更例１に係る動作を説明するためのシーケンス図である。
【図９】図９は、第１実施形態の変更例２に係る動作を説明するためのシーケンス図である。
【図１０】図１０は、第２実施形態に係る動作を説明するためのシーケンス図である。
【図１１】図１１は、第２実施形態の変更例１に係る動作を説明するためのシーケンス図である。
【図１２】図１２は、第２実施形態の変更例２に係る動作を説明するためのシーケンス図である。
【図１３】図１３は、第２実施形態の変更例３に係る動作を説明するためのシーケンス図である。
【図１４】図１４は、第２実施形態の変更例４に係る動作を説明するためのシーケンス図である。
【発明を実施するための形態】
【０００７】
［実施形態の概要］
第１実施形態に係る基地局は、セルラ通信システムにおいて用いられるユーザ端末と通信可能である。前記基地局は、前記ユーザ端末により測定された免許不要で利用できる特定周波数帯における干渉状況を示す第１の測定報告を取得し、前記第１の測定報告に基づいて、前記特定周波数帯における時間・周波数リソースを前記ユーザ端末に割り当てる制御部を備える。
【０００８】
第１実施形態において、前記制御部は、前記特定周波数帯とは異なる周波数帯であって、セルラネットワークオペレータに免許が付される一般周波数帯を利用して、前記第１の測定報告を取得する。
【０００９】
第１実施形態において、前記制御部は、前記特定周波数帯のセルにより測定された前記特定周波数帯における干渉状況を示す第２の測定報告をさらに取得する。前記制御部は、前記第１の測定報告と前記第２の測定報告とに基づいて、前記時間・周波数リソースを割り当てる。
【００１０】
第１実施形態に係る基地局は、前記ユーザ端末が前記干渉状況を測定するタイミングを指示する設定情報を送信する送信部をさらに備える。前記制御部は、前記タイミングで前記ユーザ端末がセルラ通信を行わないように、前記時間・周波数リソースを割り当てる。
【００１１】
第１実施形態に係るユーザ端末は、セルラ通信システムにおいて用いられる。前記ユーザ端末は、免許不要で利用できる特定周波数帯における干渉状況を測定する制御を行う制御部を備える。前記制御部は、前記干渉状況を示す測定報告を、前記特定周波数帯における時間・周波数リソースを前記ユーザ端末に割り当てる基地局に通知する制御を行う。
【００１２】
第１実施形態において、前記制御部は、前記特定周波数帯とは異なる周波数帯であって、セルラネットワークオペレータに免許が付される一般周波数帯を利用して、前記測定報告を通知する制御を行う。
【００１３】
第１実施形態に係るユーザ端末は、前記ユーザ端末が前記干渉状況を測定するタイミングを指示する設定情報を受信する受信部をさらに備える。前記制御部は、前記設定情報により指示されたタイミングで、前記干渉状況を測定する制御を行う。
【００１４】
第２実施形態に係る基地局は、セルラ通信システムにおいて用いられるユーザ端末と通信可能である。前記基地局は、免許不要で利用できる特定周波数帯における前記ユーザ端末の受信品質が閾値よりも低い場合に前記ユーザ端末から送信される情報に基づいて、前記ユーザ端末への前記特定周波数帯における時間・周波数リソースの割り当てを停止する制御を行う制御部を備える。前記情報は、前記特定周波数とは異なる周波数帯であって、セルラネットワークオペレータに免許が付される一般周波数帯を利用して、送信される。
【００１５】
第２実施形態において、前記情報は、前記特定周波数帯における通信を停止することを要求する通知である。
【００１６】
第２実施形態において、前記情報は、前記ユーザ端末が前記特定周波数帯を利用してデータを正常に受信できなかったことを示す否定応答である。前記制御部は、前記否定応答の受信状況に応じて、前記時間・周波数リソースの割り当てを停止する制御を行う。
【００１７】
第２実施形態において、前記制御部は、前記情報に基づいて、前記特定周波数帯において前記ユーザ端末と通信を行う他の基地局に、前記ユーザ端末への送信を停止させる指示を送信する制御を行う。
【００１８】
第２実施形態において、前記制御部は、前記情報に基づいて、前記特定周波数帯における干渉状況の測定指示を、前記一般周波数帯を利用して前記ユーザ端末へ送信する制御を行う。
【００１９】
第２実施形態において、前記制御部は、前記ユーザ端末から前記特定周波数帯における通信を開始するための要求を取得し、前記要求に基づいて、前記ユーザ端末への前記時間・周波数リソースの割り当てを再開する制御を行う。
【００２０】
第２実施形態に係る基地局は、セルラ通信システムにおいて用いられるユーザ端末と通信可能である。前記基地局は、免許不要で利用できる特定周波数帯における前記ユーザ端末との通信を制御する制御部を備える。前記制御部は、前記特定周波数帯における前記ユーザ端末の受信品質が閾値よりも低い場合に、前記ユーザ端末の受信品質が前記閾値よりも低いことを示す情報を、バックホールを介して他の基地局へ送信する。前記他の基地局は、セルラネットワークオペレータに免許が付される一般周波数帯を利用して前記ユーザ端末と通信可能な基地局である。
【００２１】
第２実施形態において、前記情報は、前記特定周波数帯における干渉状況を前記ユーザ端末に測定させるためのトリガとして用いられる。
【００２２】
第２実施形態における基地局は、セルラ通信システムにおいて用いられるユーザ端末と通信可能である。前記基地局は、免許不要で利用できる特定周波数帯における時間・周波数リソースを前記ユーザ端末に割り当てる制御部を備える。前記制御部は、前記特定周波数帯における前記ユーザ端末の受信品質が閾値よりも低い場合に、前記時間・周波数リソースの割り当てを停止する制御を行う。
【００２３】
第２実施形態に係るユーザ端末は、セルラ通信システムにおいて用いられる。前記ユーザ端末は、免許不要で利用できる特定周波数帯における通信を制御する制御部を備える。前記制御部は、前記特定周波数帯における受信品質が閾値よりも低い場合に、前記特定周波数帯とは異なる周波数帯である一般周波数帯を利用して、所定の情報を基地局に通知する制御を行う。前記基地局は、前記特定周波数帯における時間・周波数リソースを前記ユーザ端末に割り当てる基地局である。前記一般周波数帯は、セルラネットワークオペレータに免許が付される周波数帯である。
【００２４】
第２実施形態において、前記所定の情報は、前記特定周波数帯を利用してデータを正常に受信できなかったことを示す否定応答である。
【００２５】
第２実施形態において、前記所定の情報は、前記特定周波数帯における通信を停止することを要求する通知である。
【００２６】
第２実施形態において、前記制御部は、前記特定周波数帯を利用してデータを正常に受信できなかった回数に応じて、前記特定周波数帯における干渉状況の測定を開始する制御を行う。
【００２７】
第２実施形態に係るユーザ端末は、前記一般周波数帯を利用して、前記基地局からの前記特定周波数帯における干渉状況の測定指示を受信する受信部を備える。前記制御部は、前記測定指示に基づいて、前記特定周波数帯における干渉状況の測定を開始する制御を行う。
【００２８】
第２実施形態において、前記制御部は、前記特定周波数帯における通信を停止している場合、前記干渉状況の測定結果に基づいて、前記特定周波数帯における通信を開始するための要求を送信する制御を行う。
【００２９】
なお、特許請求の範囲において用いられている「基地局」は、一般的な基地局（いわゆる、ｅＮＢ）だけでなく、ＲＲＨ基地局（Ｒｅｍｏｔｅ  Ｒａｄｉｏ  Ｈｅａｄ）も含む概念である。
【００３０】
［第１実施形態］
以下において、本出願の内容をＬＴＥシステムに適用する場合の実施形態を説明する。
【００３１】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３２】
ＵＥ１００は、ユーザ端末に相当する。ＵＥ１００は、移動型の通信装置であり、接続先のセル（サービングセル）との無線通信を行う。ＵＥ１００の構成については後述する。
【００３３】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３４】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３５】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＥＰＣ２０は、ＯＡＭ（Ｏｐｅｒａｔｉｏｎ  ａｎｄ  Ｍａｉｎｔｅｎａｎｃｅ）を含んでもよい。
【００３６】
ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３７】
ＯＡＭは、オペレータによって管理されるサーバ装置であり、Ｅ−ＵＴＲＡＮ１０の保守及び監視を行う。
【００３８】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。ＵＥ１００は、ＧＮＳＳ受信機１３０を有していなくてもよい。また、メモリ１５０をプロセッサ１６０と一体化し、このセット（すなわち、チップセット）を制御部を構成するプロセッサ１６０’としてもよい。
【００３９】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００４０】
無線送受信機１１０は、無線送受信機１１０Ａ及び無線送受信機１１０Ｂを有する。無線送受信１１０Ａは、一般周波数帯を利用して無線信号を送受信し、無線送受信１１０Ｂは、特定周波数帯を利用して無線信号を送受信する。
【００４１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給する電力を蓄える。
【００４２】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、制御部に相当し、後述する各種の処理及び各種の通信プロトコルを実行する。
【００４３】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）を制御部を構成するプロセッサ２４０’としてもよい。
【００４４】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４５】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。
ネットワークインターフェイス２２０は、Ｘ２インターフェイス上で行う通信及びＳ１インターフェイス上で行う通信に用いられる。
【００４６】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、制御部に相当し、後述する各種の処理及び各種の通信プロトコルを実行する。
【００４７】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４９】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するケジューラを含む。
【００５０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５１】
ＰＤＣＰ層は、ヘッダ圧縮・伸張、及び暗号化・復号化を行う。
【００５２】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００５３】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５４】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５５】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５６】
（特定周波数帯における通信）
以下において、本実施形態に係る特定周波数帯における通信について、図６を用いて説明する。図６は、本実施形態に係る特定周波数帯における通信を説明するための図である。
【００５７】
図６に示すように、ＵＥ１００は、セルラネットワークオペレータに免許が付与された一般周波数帯（Ｌｉｃｅｎｓｅｄ  ｂａｎｄ／Ｌｉｃｅｎｓｅｄ  ｓｐｅｃｔｒｕｍ）だけでなく、免許不要で利用できる特定周波数帯（Ｕｎｌｉｃｅｎｓｅｄ  Ｂａｎｄ／Ｕｎｌｉｃｅｎｓｅｄ  ｓｐｅｃｔｒｕｍ）において通信を行うことができる。
【００５８】
具体的には、第１に、ＵＥ１００は、キャリアアグリゲーション（Ｃａｒｒｉｅｒ  Ａｇｇｒｅｇａｔｉｏｎ：ＣＡ）によって、特定周波数帯における通信を行うことができる。
【００５９】
ＣＡでは、ＬＴＥとの後方互換性を確保しながら広帯域化を実現すべく、ＬＴＥにおけるキャリア（周波数帯）をコンポーネントキャリアと位置付け、ＵＥ１００が複数のコンポーネントキャリア（複数のサービングセル）を同時に使用して通信を行う。ＣＡにおいて、ＵＥがＲＲＣ接続を開始する際に所定の情報の提供を行うセルはプライマリセル（ＰＣｅｌｌ）と称される。例えば、プライマリセルは、ＲＲＣ接続確立／再確立／ハンドオーバ時にＮＡＳモビリティ情報（例えば、ＴＡＩ）の提供を行ったり、ＲＲＣ接続再確立／ハンドオーバ時にセキュリティ情報の提供を行ったりする。一方、プライマリセルと対をなす補助的なサービングセルはセカンダリセル（ＳＣｅｌｌ）と称される。セカンダリセルは、プライマリセルと一緒に形成される。
【００６０】
特定周波数帯における通信にＣＡを利用する場合、特定周波数帯をセカンダリセルとして利用するケースがある。以下において、特定周波数帯をセカンダリセルとして利用する場合、当該セカンダリセルは、Ｕ−ＳＣｅｌｌと称される。
【００６１】
第２に、ＵＥ１００は、二重接続方式（Ｄｕａｌ  Ｃｏｎｎｅｃｔｉｖｉｔｙ：ＤＣ）によって、特定周波数帯における通信を行うことができる。
【００６２】
ＤＣでは、ＵＥ１００には、複数のｅＮＢ２００から無線リソースが割り当てられる。ＤＣは、ｅＮＢ間キャリアアグリゲーション（ｉｎｔｅｒ−ｅＮＢ  ＣＡ）と称されることもある。
【００６３】
ＤＣでは、ＵＥ１００との接続を確立する複数のｅＮＢ２００のうち、マスタｅＮＢ（ＭｅＮＢ）のみが当該ＵＥ１００とのＲＲＣ接続を確立する。これに対し、当該複数のｅＮＢ２００のうちセカンダリｅＮＢ（ＳｅＮＢ）は、ＲＲＣ接続をＵＥ１００と確立せずに、追加的な無線リソースをＵＥ１００に提供する。ＭｅＮＢとＳｅＮＢとの間にはＸｎインターフェイスが設定される。Ｘｎインターフェイスは、Ｘ２インターフェイス又は新たなインターフェイスである。
【００６４】
ＤＣでは、ＵＥ１００は、ＭｅＮＢが管理するＮ個のセル及びＳｅＮＢが管理するＭ個のセルを同時に利用したキャリアアグリゲーションが可能である。また、ＭｅＮＢが管理するＮ個のセルからなるグループは、マスタセルグループ（ＭＣＧ）と称される。また、ＳｅＮＢが管理するＭ個のセルからなるグループは、セカンダリセルグループ（ＳＣＧ）と称される。また、ＳｅＮＢが管理するセルのうち、少なくとも上りリンクの制御信号（ＰＵＣＣＨ）の受信機能を持つセルは、ｐＳＣｅｌｌと称される。ｐＳＣｅｌｌは、ＰＣｅｌｌと同様のいくつかの機能を有するが、例えば、ＵＥ１００とＲＲＣ接続を行わず、ＲＲＣメッセージを送信しない。なお、特定周波数帯がＳＣｅｌｌとして利用される場合には、当該ＳＣｅｌｌは、Ｕ−ＳＣｅｌｌと称され、特定周波数帯がｐＳＣｅｌｌとして利用される場合には、当該ＳＣｅｌｌは、Ｕ−ｐＳＣｅｌｌと称される。
【００６５】
ここで、特定周波数帯における通信の一形態として、ＬＡＡ（ＬＡＡ：Ｌｉｃｅｎｓｅｄ−Ａｓｓｉｔｅｄ  Ａｃｃｅｓｓ）を利用することが想定される。ＬＡＡでは、一般周波数帯がプライマリキャリアとして使用され、特定周波数帯がセカンダリキャリアとして使用される。セカンダリキャリアは、下りリンク及び上りリンク用のキャリアであってもよいし、下りリンク専用のキャリアであってもよい。
【００６６】
以下において、（Ａ）プライマリセル（プライマリキャリア）を管理するｅＮＢ２００に、スケジューラ（スケジューリング制御装置）が設けられ、且つ、少なくとも特定の制御信号がプライマリキャリアによって送受信されるケースをＬＡＡケースとし、（Ｂ）セカンダリセル（セカンダリキャリア）を管理するｅＮＢ２００に、スケジューラが設けられ、且つ、少なくとも特定の制御信号がプライマリキャリアによって送受信されるケースをＳｔａｎｄａｌｏｎｅ  ｗｉｔｈ  ＬＡＡケースとし、（Ｃ）セカンダリセル（セカンダリキャリア）を管理するｅＮＢ２００に、スケジューラが設けられ、且つ、制御信号がセカンダリキャリアによって送受信されるケースをＳｔａｎｄａｌｏｎｅケースとして、説明する（図６参照）。
【００６７】
（Ａ）ＬＡＡケースとしては、ＣＡにおいて特定周波数帯をセカンダリセルとして利用するケースと、ＤＣにおいて特定周波数帯をＳｅＮＢが管理するセルとして利用するケースとがある。プライマリセルを管理するｅＮＢとセカンダリセルを管理するｅＮＢとが同一である場合、ＣＡが利用され、プライマリセルを管理するｅＮＢとセカンダリセルを管理するｅＮＢとが異なる場合、ＤＣが利用される。
【００６８】
（Ｂ）Ｓｔａｎｄａｌｏｎｅ  ｗｉｔｈ  ＬＡＡケースとしては、ＤＣにおいて、特定周波数帯をＳｅＮＢが管理するセルとして利用するケースがある。具体的には、ＳｅＮＢが、Ｕ−ｐＳＣｅｌｌを含むＵ−ＳＣｅｌｌを管理するケース、Ｕ−ｐＳＣｅｌｌ（のみ）を管理するケースなどがある。
【００６９】
（Ｃ）Ｓｔａｎｄａｌｏｎｅケースとしては、ＵＥ１００が、一般周波数帯を利用せずに、特定周波数帯において通信を行うケースであり、例えば、ＣＡにおいて特定周波数帯をプライマリセル及びセカンダリセルとして利用するケースなどがある。
【００７０】
以下において、ｅＮＢ２００による動作を、ｅＮＢ２００が管理するセルによる動作として適宜説明する。
【００７１】
（第１実施形態に係る動作）
第１実施形態に係る動作について、図７を用いて説明する。図７は、第１実施形態に係る動作を説明するためのシーケンス図である。ここでは、ＬＡＡケースについて説明する。以下において、ＣＡが利用される場合、ＰＣｅｌｌとＵ−ＳＣｅｌｌとの間の通知は、ｅＮＢ２００内で行われる。一方、ＤＣが利用される場合、ＰＣｅｌｌとＵ−ＳＣｅｌｌとの間の通知、及び、ＰＣｅｌｌとｐＳＣｅｌｌとの間の通知は、ｅＮＢ２００間でのバックホール（有線回線又は無線）を介して行われる。
【００７２】
図７に示すように、ステップＳ１０１において、ＰＣｅｌｌは、ＲＲＣ接続再設定メッセージ（ＲＲＣ  Ｃｏｎｎｅｃｔｉｏｎ  Ｒｅｃｏｎｆｉｇｕｒａｔｉｏｎ）をＵＥ１００に送信する。
【００７３】
ＲＲＣ接続再設定メッセージは、特定周波数帯をセカンダリキャリアとして利用するため及び／又は特定周波数帯における干渉状況の測定結果をフィードバックするための設定情報（Ｕ−ＳＣｅｌｌ  ａｄｄ／ｆｅｅｄｂａｃｋ  ｃｏｎｆｉｇ．）を含む。
【００７４】
当該設定情報は、以下のいずれかの情報を含むことができる。
【００７５】
・ＵＥ１００が干渉状況の測定結果をフィードバックするために用いる無線リソースを示す情報
・ＵＥ１００が干渉状況を測定するタイミングを指示する情報（例えば、ＵＥ１００が、干渉状況を測定するために設定された測定区間（Ｇａｐ））
・ＵＥ１００が干渉を判定する際に用いる閾値を示す情報
【００７６】
ＲＲＣ接続再設定メッセージを受信したＵＥ１００は、ＰＣｅｌｌとのＲＲＣ接続の設定を変更する。また、ＵＥ１００は、当該メッセージに含まれる設定情報に基づいて、設定を行う。例えば、ＵＥ１００は、Ｕ−ＳＣｅｌｌ  ａｄｄ  ｃｏｎｆｉｇ．に基づいて、特定周波数帯をセカンダリキャリア（Ｕ−ＳＣｅｌｌ）として利用するための設定を行う。
【００７７】
なお、ＰＣｅｌｌは、当該設定情報をＳＩＢによって送信してもよい。
【００７８】
ステップＳ１０２において、ＰＣｅｌｌは、Ｕセル起動メッセージ（Ｕ−ｃｅｌｌ  Ａｃｔｉｖａｔｅ）をＵＥ１００に送信する。
【００７９】
ステップＳ１０３において、Ｕセル起動メッセージを受信したＵＥ１００は、Ｕ−ＳＣｅｌｌ  ａｄｄ  ｃｏｎｆｉｇ．に基づいて設定したＵ−ＳＣｅｌｌとの通信を行うために下りリンクのモニタリングを開始する。すなわち、ＵＥ１００は、Ｕセル起動メッセージの受信に応じて、Ｕ−ＳＣｅｌｌをアクティベートする。また、ＵＥ１００は、特定周波数帯用の無線送受信機１１０Ｂが起動していない場合には、当該無線送受信機１１０Ｂを起動する（ＯＮにする）。
【００８０】
なお、ＵＥ１００は、Ｕ−ＳＣｅｌｌとの通信を終了するためのタイマ（Ｄｅａｃｔｉｖａｔｉｏｎ  ｔｉｍｅｒ）を設定している場合、Ｕ−ＳＣｅｌｌのアクティベートと同時に当該タイマを起動する。当該タイマが満了した場合、ＵＥ１００は、Ｕ−ＳＣｅｌｌをディアクティベートする（複数のＵ−ＳＣｅｌｌがアクティベートである場合には、当該タイマに対応するＵ−ＳＣｅｌｌをディアクティベートする）。この場合、ＵＥ１００は、無線送受信機１１０ＢをＯＦＦにしてもよい。また、ＵＥ１００は、Ｕ−ＳＣｅｌｌとの通信のための上りリンクグラント（ｕｐｌｉｎｋ  ｇｒａｎｔ）又は下りリンク割当（ｄｏｗｎｌｉｎｋ  ａｓｓｉｇｎｍｅｎｔ）を示すＰＤＣＣＨを受信した場合、当該タイマを再起動する。或いは、当該タイマは、ＰＣｅｌｌに設定されていてもよい。
【００８１】
当該タイマは、既存のＳＣｅｌｌ用のディアクティベーションタイマ（ｓＣｅｌｌＤｅａｃｔｉｖａｔｉｏｎＴｉｍｅｒ）であってもよいし、ｓＣｅｌｌＤｅａｃｔｉｖａｔｉｏｎＴｉｍｅｒと異なるＵ−ＳＣｅｌｌ専用のディアクティベーションタイマであってもよい。
【００８２】
なお、ＵＥ１００は、Ｓ１０１における設定情報の受信に応じて、Ｕ−ＳＣｅｌｌをアクティベートしてもよい。ＰＣｅｌｌは、Ｕセル起動メッセージの送信を省略してもよい。
【００８３】
ステップＳ１０４において、ＵＥ１００は、ＲＲＣ接続再設定メッセージに含まれる設定情報に基づいて、干渉状況を測定する。ＵＥ１００は、干渉状況の測定として、ＵＥ１００自身が受ける干渉についての測定ではなく、他の装置に与える干渉についての測定を行う。すなわち、ＵＥ１００は、所定のチャネルでＵＥ１００自身が送信してもよいか否かを判定するための測定を行う。
【００８４】
ＵＥ１００は、特定周波数帯における干渉状況を測定するキャリアセンスを開始する。具体的には、ＵＥ１００は、特定周波数帯における空きチャネルを探索するために、特定周波数帯における干渉電力の測定を開始し、周囲の通信状況をモニタする。なお、設定情報に干渉状況を測定するタイミングを指示する情報が含まれている場合、ＵＥ１００は、設定情報に指示されたタイミングで、干渉状況を測定する。
【００８５】
ＵＥ１００は、特定周波数帯において、閾値以上の干渉電力（又はＩｏＴ：Ｉｎｔｅｒｆｅｒｅｎｃｅ  ｏｖｅｒ  Ｔｈｅｒｍａｌ  Ｎｏｉｓｅ）が測定されたチャネル（例えば、バンド単位、サブバンド単位又はリソース単位）を使用チャネルと判定し、それ以外のチャネルを空きチャネル（又は空きリソース）と判定する。また、ＵＥ１００は、干渉電力の受信時間を測定していてもよい。ＵＥ１００は、干渉電力の受信時間が閾値未満である場合には、干渉電力が測定されたチャネルを空きチャネルと判定してもよい。
【００８６】
本実施形態では、ＵＥ１００は、特定周波数帯を周波数方向に４分割することによって構成される第１〜第４チャネルのうち、第２及び第３チャネルが空きチャネルであると判定したと仮定して説明を進める（図７参照）。
【００８７】
ステップＳ１０５において、ＵＥ１００は、特定周波数帯における干渉状況を示す測定報告（Ｆｒｅｅ  ｃｈａｎｎｅｌ／ｒｅｓｏｕｒｃｅ  ｆｅｅｄｂａｃｋ）をＰＣｅｌｌ又はｐＳＣｅｌｌに送信（通知）することができる。従って、ＵＥ１００は、特定周波数帯ではなく、一般周波数帯を利用して測定報告を送信する。ＰＣｅｌｌ又はｐＳＣｅｌｌは、一般周波数帯を利用して測定報告を取得する。これにより、ＰＣｅｌｌ又はｐＳＣｅｌｌは、特定周波数帯において通信を行う他の無線装置からの干渉を受けないため、測定報告を確実に受信することができる。また、ＵＥ１００は、測定報告を送信しても、当該他の無線装置に干渉を与えないため、特定周波数帯が有効に活用できる。ｐＳＣｅｌｌ（ＳｅＮＢ）は、測定報告を受信した場合、測定報告をＰＣｅｌｌ（ＭｅＮＢ）に通知する。
【００８８】
なお、本実施形態に係る測定報告は、Ｕ−ＳＣｅｌｌからの信号を測定報告の対象としていない点、及び、空きチャネルを示す情報を報告する点で、ＣＳＩフィードバックと異なっている。
【００８９】
本実施形態では、ＵＥ１００は、測定報告として、第２及び第３チャネルが空きチャネルであることを示す空きチャネル情報（｛０、１、１、０｝）を送信する。
【００９０】
或いは、ＵＥ１００は、測定報告として、干渉電力それ自体を示す情報をＰＣｅｌｌに送信してもよい。この場合、ＵＥ１００は、干渉電力を例えばＬｏｗ、Ｍｉｄ、Ｈｉｇｈにクラス分けした情報（例えば、｛３、０、１、３｝など）を送信してもよい。
【００９１】
なお、測定報告は、干渉電力の時間に関する情報（例えば、干渉電力受信時間、干渉電力の時間比率など）を含んでいてもよい。
【００９２】
ステップＳ１０６において、Ｕ−ＳＣｅｌｌは、Ｕ−ＳＣｅｌｌ（を管理するｅＮＢ）により測定された特定周波数帯における干渉状況を示す測定報告をＰＣｅｌｌに通知する。ＰＣｅｌｌは、Ｕ−ＳＣｅｌｌからの測定報告を取得する。
【００９３】
Ｕ−ＳＣｅｌｌは、ＵＥ１００と同様に、特定周波数帯における干渉状況を測定するキャリアセンスを行う。Ｕ−ＳＣｅｌｌは、干渉状況を定期的に測定してもよいし、ＰＣｅｌｌからの指示をトリガとして測定を開始してもよい。
【００９４】
本実施形態では、Ｕ−ＳＣｅｌｌは、測定報告として、第１、第３及び第４チャネルが空きチャネルであることを示す空きチャネル情報（｛１、０、１、１｝）を通知したと仮定して説明を進める。
【００９５】
ステップＳ１０７において、ＰＣｅｌｌ（のスケジューリング制御装置）は、ＵＥ１００に時間・周波数リソースを割り当てるスケジューリングを行う。具体的には、ＵＥ１００からの測定報告及びＵ−ＳＣｅｌｌからの測定報告を取得したＰＣｅｌｌは、取得した測定報告に基づいて、特定周波数帯における通信を行った場合にＵＥ１００及びＵ−ＳＣｅｌｌが干渉を受けたり干渉を与えたりしないようにスケジューリングを行う。ＰＣｅｌｌは、送信側と受信側の両方の測定報告に基づいて、スケジューリングを行うことができるため、特定周波数帯における干渉の発生をさらに低減させることができる。本実施形態において、ＰＣｅｌｌは、測定報告に基づいて、第１、第２及び第４チャネルは、使用チャネルであるため、第３チャネルが空きチャネルであると判定して、第３チャネルを時間・周波数リソースとしてＵＥ１００に割り当てる。
【００９６】
なお、ＰＣｅｌｌは、ＵＥ１００が干渉状況を定期的なタイミングで測定するように指示している場合、当該タイミングでＵＥ１００がセルラ通信を行わないように、時間・周波数リソースを割り当てる。すなわち、ＰＣｅｌｌは、時間方向において当該タイミングと重複する時間・周波数リソースの割り当てを避ける。これにより、ＵＥ１００が干渉状況の測定タイミングを確保することができるため、セルラ通信により干渉状況の測定ができないという状況を回避できる。
【００９７】
また、ＰＣｅｌｌは、ＰＣｅｌｌのカバレッジ内の他のＵＥにより測定された測定報告を取得している場合、当該測定報告に基づいて、ＰＣｅｌｌのカバレッジ全体の特定周波数帯における無線状況を考慮してスケジューリングを行うことができる。これにより、隠れ端末問題を解消することができる。
【００９８】
なお、ＰＣｅｌｌは、ＰＣｅｌｌのカバレッジ内の他のＵＥだけでなく、ＰＣｅｌｌのカバレッジ内において、特定周波数帯における干渉状況を測定可能な無線装置（例えば、特定周波数帯を管理するｅＮＢ、無線ＬＡＮアクセスポイント（ＡＰ）、複数の無線ＬＡＮアクセスポイントを一元管理するノードであるアクセスコントローラ（ＡＣ）など）から、当該無線装置から測定報告を取得してもよい。
【００９９】
なお、ＰＣｅｌｌは、取得した測定報告に基づいて、スケジューリングを継続的に行うことができる。
【０１００】
ステップＳ１０８において、ＰＣｅｌｌは、ステップＳ１０７におけるリソース割当（Ｒｅｓｏｕｒｃｅ  Ａｌｌｏｃａｔｉｏｎ）をＵ−ＳＣｅｌｌに通知する。本実施形態において、リソース割当は、第３チャネルを示す情報（｛０、０、１、０｝）である。
【０１０１】
ステップＳ１０９において、ＰＣｅｌｌは、ステップＳ１０７におけるリソース割当（Ｒｅｓｏｕｒｃｅ  Ａｌｌｏｃａｔｉｏｎ）を、特定周波数帯ではなく、一般周波数帯を利用してＵＥ１００に送信する。具体的には、ＰＣｅｌｌは、一般周波数帯におけるＰＤＣＣＨによって、第３チャネルを示す情報（｛０、０、１、０｝）であるリソース割当をＵＥ１００に送信する。
【０１０２】
ステップＳ１１０において、Ｕ−ＳＣｅｌｌは、リソース割当に基づいて、特定周波数帯を利用してデータをＵＥ１００に送信し、ＵＥ１００は、リソース割当に基づいて、Ｕ−ＳＣｅｌｌからデータを受信する。
【０１０３】
ステップＳ１１１において、ＵＥ１００は、ステップＳ１０４と同様に、特定周波数帯における干渉状況を測定するためにキャリアセンスを行う。ＵＥ１００は、ＰＣｅｌｌからの設定情報に基づいて、定期的に、キャリアセンスを行ってもよいし、Ｕ−ＳＣｅｌｌからの受信品質が閾値よりも低い場合に、キャリアセンスを開始してもよい。
【０１０４】
本実施形態では、キャリアセンスを行ったＵＥ１００は、第２及び第３チャネルが空きチャネルであると判定したと仮定して説明を進める。
【０１０５】
ステップＳ１１２において、ＵＥ１００は、ステップＳ１０５と同様に、測定報告をＰＣｅｌｌ又はｐＳＣｅｌｌに送信（通知）する。ｐＳＣｅｌｌ（ＳｅＮＢ）は、測定報告を受信した場合、測定報告をＰＣｅｌｌ（ＭｅＮＢ）に通知する。
【０１０６】
ステップＳ１１３において、ステップＳ１０６と同様に、キャリアセンスを行ったＵＳＣｅｌｌは、測定報告をＰＣｅｌｌに通知する。本実施形態では、Ｕ−ＳＣｅｌｌは、測定報告として、第１及び第４チャネルが空きチャネルであることを示す空きチャネル情報（｛１、０、０、１｝）を通知したと仮定して説明を進める。
【０１０７】
ステップＳ１１４において、ＰＣｅｌｌは、ステップＳ１１２及びＳ１１３のそれぞれにおいて取得した測定報告に基づいて、第１から第４チャネルは、使用チャネルであるため、空きチャネルがないと判定する。ＰＣｅｌｌは、空きチャネルがないと判定した場合、ＵＥ１００への時間・周波数リソースの割り当てを停止する。ＵＥ１００が特定周波数帯における通信を行った場合に干渉が発生するため、リソース割当を停止することによって、他の無線装置への干渉を抑制できる。その結果、特定周波数帯が有効に活用できる。
【０１０８】
なお、ＰＣｅｌｌは、一般周波数帯を利用したＵＥ１００との通信を開始してもよい。或いは、ＵＥ１００が特定周波数帯だけでなく一般周波数帯を利用して通信を行っていた場合、ＰＣｅｌｌは、一般周波数帯を利用したＵＥ１００との通信を継続してもよい。
【０１０９】
ステップＳ１１５において、ＰＣｅｌｌは、Ｕセル終了メッセージ（Ｕ−ｃｅｌｌ  Ｄｅａｃｔｉｖａｔｅ）をＵＥ１００に送信する。Ｕセル終了メッセージを受信したＵＥ１００は、Ｕ−ＳＣｅｌｌとの通信を終了する。具体的には、ＵＥ１００は、Ｕ−ＳＣｅｌｌへの送信（上りリンク送信を）を終了し、下りリンクのモニタリングを終了する。また、ＵＥ１００は、Ｕセル終了メッセージで指示されたＵ−ＳＣｅｌｌ以外のＵ−ＳＣｅｌｌと通信していない（アクティベートなＵ−ＳＣｅｌｌが存在しない）場合、無線送受信機１１０ＢをＯＦＦにしてもよい。ＵＥ１００は、通信を行っていたＵ−ＳＣｅｌｌに関する設定を保持できる。
【０１１０】
なお、ステップＳ１１５は、省略されてもよい。
【０１１１】
ステップＳ１１６において、ＵＥ１００は、キャリアセンスを終了する。ＵＥ１００は、Ｕセル終了メッセージの受信に応じて、キャリアセンスを終了してもよい。或いは、ＵＥ１００は、ＰＣｅｌｌからのリソース割当を受信しない場合に、キャリアセンスを終了してもよい。
【０１１２】
（変更例１−１）
次に、第１実施形態の変更例１（変更例１−１）に係る動作について、図８を用いて説明する。図８は、第１実施形態の変更例１に係る動作を説明するためのシーケンス図である。変更例１は、Ｓｔａｎｄａｌｏｎｅ  ｗｉｔｈ  ＬＡＡケースである。ＭｅＮＢ（ＰＣｅｌｌ）とＳｅＮＢ（Ｕ−ｐＳＣｅｌｌを含むＵ−ＳＣｅｌｌ）との間の通知は、ｅＮＢ２００間でのバックホール（有線回線又は無線）を介して行われる。
【０１１３】
上述した実施形態と重複する部分は、説明を適宜省略する。
【０１１４】
図８に示すように、ステップＳ２０１において、ＰＣｅｌｌは、Ｕ−ｐＳＣｅｌｌ又はＵ−ＳＣｅｌｌになり得るセルを管理するｅＮＢに、ＵＥ１００との通信のために特定周波数帯のセルの追加を要求するＵ−ＳｅＮＢ追加メッセージ（Ｕ−ＳｅＮＢ  Ａｄｄｉｔｉｏｎ）を送信する。
【０１１５】
ステップＳ２０２において、Ｕ−ＳｅＮＢ追加メッセージを受信したｅＮＢは、特定周波数帯における干渉状況を測定するためのキャリアセンスを開始する（ステップＳ１０６参照）。当該ｅＮＢは、自セルをＵ−ｐＳＣｅｌｌ又はＵ−ＳＣｅｌｌ（以下、Ｕ−ｐＳＣｅｌｌ）として追加することが可能か否かを判定する。当該ｅＮＢは、例えば、測定結果に基づいて、空きチャネルが存在する場合に、ＵＥ１００との通信のために自セルをＵ−ｐＳＣｅｌｌとして追加することが可能であると判定する。本実施形態において、当該ｅＮＢ２００は、自セルをＵ−ｐＳＣｅｌｌとして追加することが可能であると判定したと仮定して説明を進める。
【０１１６】
ステップＳ２０３において、当該ｅＮＢは、自セルをＵ−ｐＳＣｅｌｌとして追加することが可能であるか否かを示すＵ−ＳｅＮＢ追加応答メッセージ（Ｕ−ＳｅＮＢ  Ａｄｄｉｔｉｏｎ  Ｒｅｓｐｏｎｓｅ）をＰＣｅｌｌに送信する。
【０１１７】
本実施形態において、当該ｅＮＢ２００は、自セルをＵ−ｐＳＣｅｌｌとして追加するためにＵ−ＳｅＮＢ追加応答メッセージを送信する。Ｕ−ＳｅＮＢ追加応答メッセージは、自セルをＵ−ｐＳＣｅｌｌとして追加するために必要な情報を含む。
【０１１８】
以下において、当該ｅＮＢ２００の動作をＵ−ｐＳＣｅｌｌの動作とみなして、説明を進める。
【０１１９】
ステップＳ２０４は、ステップＳ１０１に対応する。
【０１２０】
ステップＳ２０５において、Ｕ−ｐＳＣｅｌｌは、Ｕセル起動メッセージをＵＥ１００に送信する（ステップＳ１０２参照）。なお、Ｕセル起動メッセージは、ＰＣｅｌｌから送信されてもよい。
【０１２１】
ステップＳ２０６からＳ２０８は、ステップＳ１０３からＳ１０５に対応する。
【０１２２】
ステップＳ２０９において、ＰＣｅｌｌは、一般周波数帯を利用してＵＥ１００から受信した測定報告を、バックホールを介して転送する。これにより、ＵＥ１００は、ＰＣｅｌｌを経由して、測定報告をＵ−ｐＳＣｅｌｌ（ＳｅＮＢ）に通知する。特定周波数帯ではなく一般周波数帯及びバックホールを利用することによって、特定周波数帯において通信を行う他の無線装置に干渉を与えずに、測定報告がＵＥ１００からＵ−ｐＳＣｅｌｌに通知できる。
【０１２３】
ステップＳ２１０において、Ｕ−ｐＳＣｅｌｌ（のスケジューリング制御装置）は、ＵＥ１００に時間・周波数リソースを割り当てるスケジューリングを行う（ステップＳ１０７参照）。Ｕ−ｐＳＣｅｌｌは、ＵＥ１００が干渉状況を測定するタイミングを指示する情報をＰＣｅｌｌから受信している場合には、当該タイミングでＵＥ１００が送受信を行わないように、時間・周波数リソースを割り当てる。
【０１２４】
なお、Ｕ−ｐＳＣｅｌｌは、ステップＳ２０２において得られた測定結果を利用してもよいし、Ｓ２０５においてＵセル起動メッセージを送信した後、或いは、Ｓ２０９においてＵＥ１００の測定報告を取得した後に、キャリアセンスを行って得られた測定結果を利用してもよい。
【０１２５】
ステップＳ２１１において、Ｕ−ｐＳＣｅｌｌ又はＵ−ＳＣｅｌｌは、ステップ２１０におけるリソース割当（Ｒｅｓｏｕｒｃｅ  Ａｌｌｏｃａｔｉｏｎ）を、ＰＤＣＣＨによって、ＵＥ１００に送信する（ステップＳ１０９参照）。
【０１２６】
ステップＳ２１２及びＳ２１３は、ステップＳ１１０及びＳ１１２に対応する。
【０１２７】
ステップＳ２１４において、ＰＣｅｌｌは、ステップＳ２０９と同様に、一般周波数帯を利用してＵＥ１００から受信した測定報告を、バックホールを介して転送する。これにより、他の無線装置への干渉を抑制できる。
【０１２８】
また、Ｕ−ｐＳＣｅｌｌは、ステップＳ２０２と同様に、キャリアセンスを開始する。これによって、Ｕ−ｐＳＣｅｌｌは、特定周波数帯における干渉状況を示す測定結果を取得する。
【０１２９】
ステップＳ２１５において、Ｕ−ｐＳＣｅｌｌは、ステップＳ２１４において取得した測定報告及び自身の測定結果に基づいて、空きチャネルがないと判定した場合、ＵＥ１００への時間・周波数リソースの割り当てを停止する（ステップＳ１１４参照）。
【０１３０】
（変更例１−２）
次に、第１実施形態の変更例２（変更例１−２）に係る動作について、図９を用いて説明する。図９は、第１実施形態の変更例２に係る動作を説明するためのシーケンス図である。変更例２は、Ｓｔａｎｄａｌｏｎｅケースである。以下において、ＣＡを利用する場合、Ｕ−Ｃｅｌｌは、Ｕ−ＳＣｅｌｌ及びＵ−ＰＣｅｌｌの少なくともいずれかを含む。
上述した実施形態及び変更例１と重複する部分は、説明を適宜省略する。
【０１３１】
図９に示すように、ステップＳ３０１において、Ｕ−Ｃｅｌｌは、特定周波数帯における干渉状況を測定するためのキャリアセンスを開始する（ステップＳ２０２参照）。
【０１３２】
ステップＳ３０２において、Ｕ−Ｃｅｌｌ（Ｕ−ＰＣｅｌｌ）は、ＲＲＣ接続再設定メッセージをＵＥ１００に送信する（ステップＳ１０１参照）。なお、Ｕ−ＣｅｌｌがＵＳＣｅｌｌの場合は、図示されていないＰＣｅｌｌからＲＲＣ接続再設定メッセージが送信される。
【０１３３】
ステップＳ３０３からＳ３０５は、ステップＳ２０５からＳ２０７に対応する。なお、ステップＳ３０３において、Ｕ−ＰＣｅｌｌ又はＵ−ＳＣｅｌｌがＵセル起動メッセージを送信できる。
【０１３４】
ステップＳ３０６において、ＵＥ１００は、測定報告（Ｆｒｅｅ  ｃｈａｎｎｅｌ／ｒｅｓｏｕｒｃｅ  ｆｅｅｄｂａｃｋ）をＵ−Ｃｅｌｌ（Ｕ−ＰＣｅｌｌ）に送信（通知）する。
【０１３５】
ステップＳ３０７からＳ３０９は、ステップＳ２１０からＳ２１２に対応する。なお、ステップＳ３０８において、Ｕ−ＰＣｅｌｌ又はＵ−ＳＣｅｌｌがリソース割当をＵＥ１００に送信できる。
【０１３６】
ステップＳ３１０において、ＵＥ１００は、ステップＳ３０６と同様に、測定報告をＵ−Ｃｅｌｌに送信する。
【０１３７】
ステップＳ３１１は、ステップＳ２１５に対応する。
【０１３８】
このように、Ｕ−Ｃｅｌｌは、一般周波数帯を利用できない場合であっても、特定周波数帯における干渉状況を示す測定結果を用いてスケジューリングを行うことによって、特定周波数帯を有効に活用できる。
【０１３９】
［第２実施形態］
次に、第２実施形態に係る動作について、図１０を用いて説明する。図１０は、第２実施形態に係る動作を説明するためのシーケンス図である。ここでは、ＬＡＡケースについて説明する。
【０１４０】
上述した第１実施形態では、特定周波数帯における干渉状況を示す測定結果を用いてスケジューリングを行うことによって、特定周波数帯を有効に活用する動作を中心に説明した。第２実施形態では、特定周波数帯を有効に活用するために、ＵＥ１００が特定周波数帯における干渉を受けた場合に通信を停止し、ＵＥ１００が特定周波数帯における干渉を受けなくなった場合に通信を開始（再開）する動作を中心に説明する。
【０１４１】
図１０に示すように、ステップＳ４０１において、ＰＣｅｌｌは、ＲＲＣ接続再設定メッセージ（ＲＲＣ  Ｃｏｎｎｅｃｔｉｏｎ  Ｒｅｃｏｎｆｉｇｕｒａｔｉｏｎ）をＵＥ１００に送信する。
【０１４２】
ＲＲＣ接続再設定メッセージは、カウンタ設定情報（ｃｏｕｎｔｅｒ  ｃｏｎｆｉｇ．）を含む。カウンタ設定情報は、ＵＥ１００に特定周波数帯において送信されたデータの受信（復号）に失敗した回数を計測させるための設定情報である。カウンタ設定情報には、データの受信に失敗した回数との比較に用いられる閾値（以下、復号失敗閾値）を示す情報を含む。
【０１４３】
ステップＳ４０２において、Ｕ−ＳＣｅｌｌは、特定周波数帯を利用してデータをＵＥ１００に送信する。
【０１４４】
ステップＳ４０３において、ＵＥ１００は、Ｕ−ＳＣｅｌｌから送信されたデータの復号を試みる。ここでは、ＵＥ１００は、データの復号に成功することによって、特定周波数帯を利用してデータを正常に受信できたと仮定して説明を進める。
【０１４５】
ＵＥ１００は、特定周波数帯を利用してデータを正常に受信できたことを示す肯定応答（ＡＣＫ）をＵ−ＳＣｅｌｌに送信する。
【０１４６】
ステップＳ４０４において、Ｕ−ＳＣｅｌｌは、ステップＳ４０２と同様に、特定周波数帯を利用してデータをＵＥ１００に送信する。
【０１４７】
ステップＳ４０５において、Ｕ−ＳＣｅｌｌから送信されたデータの復号を試みる。ここでは、ＵＥ１００は、データの復号に失敗することによって、特定周波数帯を利用してデータを正常に受信できなかったと仮定して説明を進める。
【０１４８】
この場合、ＵＥ１００は、特定周波数帯において送信されたデータの復号に失敗した回数（或いは、後述のＮＡＣＫの送信回数）を復号失敗閾値と比較する。当該回数が復号失敗閾値未満であると仮定して説明を進める。
【０１４９】
ステップＳ４０６において、ＵＥ１００は、特定周波数帯を利用してデータを正常に受信できなかったことを示す否定応答（ＮＡＣＫ）を、データの送信元であるＵ−ＳＣｅｌｌではなく、ＰＣｅｌｌ又はｐＳＣｅｌｌに送信する。従って、本実施形態では、ＵＥ１００は、特定周波数帯を利用してＡＣＫを送信し、一般周波数帯を利用してＮＡＣＫを送信する。これにより、ＵＥ１００は、他の無線装置から特定周波数帯における干渉を受けている場合であっても、一般周波数帯を利用することによって正常に受信出来なかったことをデータの送信元に確実に伝えることができる。
【０１５０】
ＰＣｅｌｌ又はｐＳＣｅｌｌは、ＵＥ１００から受信したＮＡＣＫをＵ−ＳＣｅｌｌに通知できる。ＰＣｅｌｌとＵ−ＳＣｅｌｌとが異なるｅＮＢ２００に管理されている場合、ＰＣｅｌｌは、バックホールを介してＮＡＣＫをＵ−ＳＣｅｌｌに通知できる。
【０１５１】
その後、ＵＥ１００は、特定周波数帯において送信されたデータの復号に失敗した回数（或いは、ＮＡＣＫの送信回数）をインクリメントする。
【０１５２】
ステップＳ４０７において、Ｕ−ＳＣｅｌｌは、特定周波数帯を利用してデータをＵＥ１００に送信（再送）する。Ｕ−ＳＣｅｌｌは、ＰＣｅｌｌから、ＵＥ１００からのＮＡＣＫを受信した旨の通知を受信した場合、ＵＥ１００にデータを再送する。或いは、ＵＳＣｅｌｌは、ＵＥ１００から所定時間内にＡＣＫを受信できない場合に、ＵＥ１００にデータを再送してもよい。
【０１５３】
ステップＳ４０８において、ＵＥ１００は、ステップＳ４０３と同様に、ＡＣＫをＵＳＣｅｌｌに送信する。
【０１５４】
ステップＳ４０９において、Ｕ−ＳＣｅｌｌは、特定周波数帯を利用してデータをＵＥ１００に送信する。
【０１５５】
ステップＳ４１０において、ＵＥ１００は、ステップＳ４０５と同様に、Ｕ−ＳＣｅｌｌから送信されたデータの復号を試みる。ここでは、ＵＥ１００は、データの復号に失敗することによって、特定周波数帯を利用してデータを正常に受信できず、且つ、ＮＡＣＫの送信回数が復号失敗閾値に達したと仮定して説明を進める。これにより、ＵＥ１００は、特定周波数帯における受信品質が閾値よりも低いと判定する。
【０１５６】
ステップＳ４１１において、ＵＥ１００は、ステップＳ４０６と同様に、ＮＡＣＫをＰＣｅｌｌ又はｐＳＣｅｌｌに送信する。
【０１５７】
ステップＳ４１２において、ＵＥ１００は、ＮＡＣＫの送信回数が復号失敗閾値に達したことに応じて、特定周波数帯における通信を停止することを要求する停止要求（Ｓｔｏｐ  ｒｅｑｕｅｓｔ）をＰＣｅｌｌ又はｐＳＣｅｌｌに送信（通知）する。ｐＳＣｅｌｌが停止要求を受信した場合は、ｐＳＣｅｌｌは、ＰＣｅｌｌに停止要求を通知する。このように、ＵＥ１００は、特定周波数帯ではなく、一般周波数帯を利用して停止要求を送信する。
【０１５８】
本実施形態では、停止要求は、特定周波数帯における受信品質が閾値よりも低いことを示す情報である。これにより、ＵＥ１００は、他の無線装置から特定周波数帯における干渉を受けている場合であっても、一般周波数帯を利用することによって停止要求をスケジューリング制御装置（及び／又はデータの送信元）に確実に伝えることができる。
【０１５９】
ＰＣｅｌｌは、停止要求に基づいて、ＵＥ１００への特定周波数帯における時間・周波数リソースの割り当てを停止する。
【０１６０】
なお、停止要求は、ディアクティベーション要求（ｄｅａｃｔｉｖａｔｉｏｎ  ｒｅｑｕｅｓｔ）に類似するが、停止の対象となるセルとの通信を完全に終了しない（すなわち一時的に通信を停止する）点で異なる。
【０１６１】
ステップＳ４１３において、ＰＣｅｌｌ又はＵ−ＳＣｅｌｌは、ＵＥ１００からの停止要求に基づいて、ＵＥ１００への時間・周波数リソースの割り当てを停止したことを示すリソース割当停止メッセージ（Ｓｔｏｐ  ｒｅｓｏｕｒｃｅ  ａｌｌｏｃａｔｉｏｎ）をＵ−ＳＣｅｌｌに通知するリソース割当停止メッセージの通知を受けたＵ−ＳＣｅｌｌは、ＵＥ１００への送信（再送）を停止できる。
【０１６２】
ステップＳ４１４において、ＵＥ１００は、特定周波数帯における干渉状況を測定するキャリアセンスを開始する。ここで、ＵＥ１００は、特定周波数帯を利用してデータを正常に受信できなかった回数（ＮＡＣＫの送信回数）に応じて、キャリアセンスを開始する。本実施形態では、ＵＥ１００は、ＮＡＣＫの送信回数が復号失敗閾値に達したことによって、キャリアセンスを開始する。
【０１６３】
ステップＳ４１５において、ＵＥ１００は、キャリアセンスによって、特定周波数帯において干渉信号を閾値未満である空きチャネルを検知する。
【０１６４】
ステップＳ４１６において、ＵＥ１００は、空きチャネルを（所定期間）検知した場合（すなわち、特定周波数帯の少なくとも一部において干渉信号が閾値以下である場合）に、一般周波数帯を利用して、特定周波数帯における通信を開始するための再開要求（Ｒｅｓｔａｒｔ  ｒｅｑｕｅｓｔ）をＰＣｅｌｌ又はｐＳＣｅｌｌに送信する。ｐＳＣｅｌｌが再開要求を受信した場合は、ｐＳＣｅｌｌは、ＰＣｅｌｌに再開要求を通知する。このように、ＵＥ１００は、特定周波数帯ではなく、一般周波数帯を利用して再開要求を送信する。再開要求は、干渉がなくなったことを示す情報であってもよい。
【０１６５】
なお、再開要求は、リアクティベーション要求（ｒｅ−ａｃｔｉｖａｔｉｏｎ  ｒｅｑｕｅｓｔ）に類似するが、再開の対象となるセルが、通信を一時的に停止しているという点で、リアクティベーション要求と異なる。ＰＣｅｌｌは、再開要求に基づいて、ＵＥ１００への特定周波数帯における時間・周波数リソースの割り当てを再開する。
【０１６６】
ステップＳ４１７において、ＰＣｅｌｌ又はｐＳＣｅｌｌは、ＵＥ１００からの再開要求に基づいて、時間・周波数リソースの割り当ての再開を示すリソース割当再開メッセージ（Ｒｅｓｔａｒｔ  ｒｅｓｏｕｒｃｅ  ａｌｌｏｃａｔｉｏｎ）を送信する。ＰＣｅｌｌ又はｐＳＣｅｌｌは、リソース割当停止メッセージに、ＵＥ１００に割り当てた特定周波数帯における時間・周波数リソースを含ませてもよい。
【０１６７】
ステップＳ４１８において、リソース割当再開メッセージを受信したＵ−ＳＣｅｌｌは、特定周波数帯を利用したＵＥ１００へのデータの送信を再開する。
【０１６８】
（変更例２−１）
次に、第２実施形態の変更例１（変更例２−１）に係る動作について、図１１を用いて説明する。図１１は、第２実施形態の変更例１に係る動作を説明するためのシーケンス図である。本変更例は、ＬＡＡケースである。上述した各実施形態と重複する部分は、説明を適宜省略する。
【０１６９】
上述した第２実施形態では、ＵＥ１００が、特定周波数帯における受信品質が閾値よりも低いと判定していた。本変更例では、Ｕ−ＳＣｅｌｌが、特定周波数帯におけるＵＥ１００の受信品質が閾値よりも低いと判定する。
【０１７０】
ステップＳ５０１において、Ｕ−ＳＣｅｌｌは、特定周波数帯を利用してデータをＵＥ１００に送信する。ここでは、ＵＥ１００は、Ｕ−ＳＣｅｌｌから送信されたデータの復号に成功したと仮定して説明を進める。
【０１７１】
ステップＳ５０２において、ＵＥ１００は、特定周波数帯を利用してデータを正常に受信できたことを示す肯定応答（ＡＣＫ）をＰＣｅｌｌ又はｐＳＣｅｌｌに送信する。本変更例では、ＵＥ１００は、ＮＡＣＫだけではなく、ＡＣＫもＰＣｅｌｌ又はｐＳＣｅｌｌに送信する。ｐＳＣｅｌｌは、ＵＥ１００から受信したＡＣＫ／ＮＡＣＫをＰＣｅｌｌに通知してもよい。
【０１７２】
ステップＳ５０３において、ステップＳ５０１と同様に、Ｕ−ＳＣｅｌｌは、特定周波数帯を利用してデータをＵＥ１００に送信する。ここでは、ＵＥ１００は、Ｕ−ＳＣｅｌｌから送信されたデータの復号に失敗したと仮定して説明を進める。
【０１７３】
ステップＳ５０４において、特定周波数帯を利用してデータを正常に受信できなかったことを示す否定応答（ＮＡＣＫ）をＰＣｅｌｌ又はｐＳＣｅｌｌに送信する（ステップＳ４０６参照）。なお、ＰＣｅｌｌ又はｐＳＣｅｌｌは、ＮＡＣＫの受信回数をカウントして、受信回数と閾値とを比較する。ここでは、受信回数は、閾値未満であると仮定して説明する。
【０１７４】
ステップＳ５０５及びＳ５０６は、ステップＳ５０３及びＳ５０４に対応する。
【０１７５】
ステップＳ５０７において、ＰＣｅｌｌ又はｐＳＣｅｌｌは、ＮＡＣＫの受信回数が閾値に達した場合、特定周波数帯におけるＵＥ１００の受信品質が閾値よりも低いと判定する。この場合、ＰＣｅｌｌは、ステップＳ５０９及びＳ５１１の処理を実行する。なお、ｐＳＣｅｌｌが判定した場合には、特定周波数帯におけるＵＥ１００の受信品質が閾値よりも低い旨をＰＣｅｌｌに通知してもよい。
【０１７６】
なお、ここでの閾値は、ステップＳ４０１におけるカウンタ設定情報に含まれる復号失敗閾値と同じであってもよい。
【０１７７】
ステップＳ５０８において、ＰＣｅｌｌ又はｐＳＣｅｌｌは、特定周波数帯における干渉状況の測定指示（Ｃａｒｒｉｅｒ  Ｓｅｎｓｅ  Ｉｎｄｉｃａｔｉｏｎ）を、一般周波数帯を利用してＵＥ１００に送信する。これにより、特定周波数帯を利用して受信できないＵＥ１００が、測定指示を受信できる。測定指示は、ＵＥ１００へのリソース割り当てに使用していたチャネル（周波数帯）を示す情報を含んでもよい。
【０１７８】
なお、ＰＣｅｌｌ又はｐＳＣｅｌｌは、ＵＥ１００だけでなく、ＰＣｅｌｌのカバレッジ内の他のＵＥに対して、ＰＣｅｌｌのカバレッジ全体の特定周波数帯における無線状況を把握するために、測定指示を送信してもよい。
【０１７９】
ステップＳ５０９において、ＰＣｅｌｌ又はｐＳＣｅｌｌは、ＵＥ１００へのデータの送信（再送）を停止させる指示である送信停止指示（Ｓｔｏｐ  Ｔｒａｎｓｍｉｓｓｉｏｎ  Ｉｎｄｉｃａｔｉｏｎ）をＵ−ＳＣｅｌｌに通知する。
【０１８０】
ステップＳ５１０において、Ｕ−ＳＣｅｌｌは、送信停止指示に基づいて、ＵＥ１００への送信（再送）を停止する。
【０１８１】
ステップＳ５１１において、ＰＣｅｌｌは、ＵＥからのＮＡＣＫの受信状況に応じて、ＵＥ１００への特定周波数帯における時間・周波数リソースの割り当てを停止する。具体的には、ＰＣｅｌｌは、ＮＡＣＫの受信回数が閾値に達したことによって、ＵＥ１００へのリソース割り当てを停止する。
【０１８２】
ステップＳ５１２において、ＵＥ１００は、ステップＳ５０８の測定指示に基づいて、特定周波数帯における干渉状況を測定するためのキャリアセンスを開始する。ステップＳ５０８の測定指示が、ＵＥ１００へのリソース割り当てに使用していたチャネル（周波数帯）を示す情報を含む場合、当該チャネルを対象として干渉状況を測定してもよい。
【０１８３】
なお、Ｕ−ＳＣｅｌｌは、ＵＥ１００への送信（再送）を停止した後、キャリアセンスを開始してもよい。
【０１８４】
ステップＳ５１３において、Ｕ−ＳＣｅｌｌは、空きチャネルを（所定期間）検知した場合に、ステップＳ５１４において、特定周波数帯における通信を開始するための再開要求（Ｒｅｓｔａｒｔ  ｒｅｑｕｅｓｔ）をＰＣｅｌｌに通知してもよい。
【０１８５】
ステップＳ５１５からＳ５１８は、ステップＳ４１５からＳ４１８に対応する。
【０１８６】
なお、ステップＳ５１７において、ＰＣｅｌｌは、ＵＥ１００からだけでなく、Ｕ−ＳＣｅｌｌからも再開要求を受信した場合に、リソース割当再開メッセージをＵ−ＳＣｅｌｌに通知してもよい。
【０１８７】
（変更例２−２）
次に、第２実施形態の変更例２（変更例２−２）に係る動作について、図１２を用いて説明する。図１２は、第２実施形態の変更例２に係る動作を説明するためのシーケンス図である。本変更例は、Ｓｔａｎｄａｌｏｎｅ  ｗｉｔｈ  ＬＡＡケースである。上述した各実施形態と重複する部分は、説明を適宜省略する。
【０１８８】
本変更例では、上述した第２実施形態と同様に、ＵＥ１００が特定周波数帯における受信品質が閾値よりも低いと判定するケースである。
【０１８９】
図１２に示すように、ステップＳ６０１において、ＰＣｅｌｌ（ＭｅＮＢ）は、ＲＲＣ接続再設定メッセージ（ＲＲＣ  Ｃｏｎｎｅｃｔｉｏｎ  Ｒｅｃｏｎｆｉｇｕｒａｔｉｏｎ）をＵＥ１００に送信する（ステップＳ４０１参照）。
【０１９０】
ステップＳ６０２からＳ６０５は、ステップＳ４０２からＳ４０５に対応する。
【０１９１】
ステップＳ６０６において、ＵＥ１００は、ＮＡＣＫをＵ−ｐＳＣｅｌｌに送信する。
【０１９２】
ステップＳ６０７において、Ｕ−ｐＳＣｅｌｌ（及びＵ−ＳＣｅｌｌ）は、ＮＡＣＫに応じて、ＵＥ１００にデータを送信（再送）する。
【０１９３】
ステップＳ６０８からＳ６１０は、ステップＳ４０８からＳ４１０に対応する。
【０１９４】
ステップＳ６１１において、ＵＥ１００は、ステップＳ６０６と同様に、ＮＡＣＫをＵ−ｐＳＣｅｌｌに送信する。
【０１９５】
ステップＳ６１２において、ＵＥ１００は、ＮＡＣＫの送信回数が復号失敗閾値に達したことに応じて、停止要求（Ｓｔｏｐ  ｒｅｑｕｅｓｔ）を、ＡＣＫ／ＮＡＣＫの送信先であるＵ−ｐＳＣｅｌｌではなくＰＣｅｌｌに送信（通知）する。
【０１９６】
ステップＳ６１３において、停止要求を受信したＰＣｅｌｌは、バックホールを介して、受信した停止要求をＵ−ｐＳＣｅｌｌ又はＵ−ＳＣｅｌｌへ転送する。これにより、ＵＥ１００は、ＰＣｅｌｌを経由して、停止要求をＵ−ｐＳＣｅｌｌ又はＵ−ＳＣｅｌｌに通知する。特定周波数帯ではなく一般周波数帯及びバックホールを利用することによって、特定周波数帯において通信を行う他の無線装置に干渉を与えずに、停止要求がＵＥ１００からＵ−ｐＳＣｅｌｌ又はＵ−ＳＣｅｌｌに通知できる。
【０１９７】
ステップＳ６１４からＳ６１６は、ステップＳ４１４からＳ４１６に対応する。
【０１９８】
ステップＳ６１７において、再開要求を受信したＰＣｅｌｌは、バックホールを介して、受信した再開要求をＵ−ｐＳＣｅｌｌ又はＵ−ＳＣｅｌｌへ転送する。これにより、ＵＥ１００は、ＰＣｅｌｌを経由して、停止要求をＵ−ｐＳＣｅｌｌ又はＵ−ＳＣｅｌｌに通知する。特定周波数帯ではなく一般周波数帯及びバックホールを利用することによって、特定周波数帯において通信を行う他の無線装置に干渉を与えずに、再開要求がＵＥ１００からＵ−ｐＳＣｅｌｌ又はＵ−ＳＣｅｌｌに通知できる。
【０１９９】
ステップＳ６１８は、ステップＳ４１８に対応する。
【０２００】
（変更例２−３）
次に、第２実施形態の変更例３（変更例２−３）に係る動作について、図１３を用いて説明する。図１３は、第２実施形態の変更例３に係る動作を説明するためのシーケンス図である。本変更例は、Ｓｔａｎｄａｌｏｎｅ  ｗｉｔｈ  ＬＡＡケースである。上述した各実施形態と重複する部分は、説明を適宜省略する。
【０２０１】
上述した第２実施形態の変更例１では、ＰＣｅｌｌ（又はｐＳＣｅｌｌ）が、特定周波数帯におけるＵＥ１００の受信品質が閾値よりも低いと判定していた。本変更例では、Ｕ−ｐＳＣｅｌｌ又はＵ−ＳＣｅｌｌが、特定周波数帯におけるＵＥ１００の受信品質が閾値よりも低いと判定する。
【０２０２】
ステップＳ７０１において、ＰＣｅｌｌは、カウンタ設定情報をＵ−ｐＳＣｅｌｌ又はＵ−ＳＣｅｌに送信してもよい（ステップＳ４０１参照）。なお、ステップＳ７０１は、省略されてもよい。この場合、Ｕ−ｐＳＣｅｌｌは、事前設定された閾値（復号失敗閾値）を用いることができる。
【０２０３】
ステップＳ７０２からＳ７０７は、ステップＳ６０２からＳ６０４、Ｓ６０６、Ｓ６０９、Ｓ６１１に対応する。
【０２０４】
ステップＳ７０８において、Ｕ−ｐＳＣｅｌｌは、ＮＡＣＫの受信回数が閾値に達した場合、特定周波数帯におけるＵＥ１００の受信品質が閾値よりも低いと判定する（ステップＳ５０７参照）。この場合、Ｕ−ｐＳＣｅｌｌは、ステップＳ７０９及びＳ７１０の処理を実行する。
【０２０５】
また、Ｕ−ｐＳＣｅｌｌ（のスケジューリング制御装置）は、ＵＥ１００への特定周波数帯における時間・周波数リソースの割り当てを停止する。
【０２０６】
なお、Ｕ−ｐＳＣｅｌｌは、所定時間内にＡＣＫを受信できない回数を、ＮＡＣＫを受信した回数に置き換えてもよい。
【０２０７】
ステップＳ７０９において、Ｕ−ｐＳＣｅｌｌ（又はＵ−ＳＣｅｌｌ）は、特定周波数帯におけるＵＥ１００の受信品質が閾値よりも低いことを示す情報として、送信エラー指示（Ｔｒａｎｓｍｉｓｓｉｏｎ  ｅｒｒｏｒ  ｉｎｄｉｃａｔｉｏｎ）を、バックホールを介してＰＣｅｌｌに通知する。送信エラー指示は、ＵＥ１００へのリソース割り当てに使用していたチャネル（周波数帯）を示す情報を含んでもよい。
【０２０８】
ステップＳ７１０及びＳ７１１は、ステップＳ５１０及びＳ５１２（のＵ−ＳＣｅｌｌの動作）に対応する。
【０２０９】
ステップＳ７１２は、Ｓ５０８に対応する。ここでは、ＰＣｅｌｌは、Ｕ−ｐＳＣｅｌｌ（又はＵ−ＳＣｅｌｌ）からの送信エラー指示に基づいて、一般周波数帯を利用して、測定指示をＵＥ１００へ送信する。従って、送信エラー指示は、ＵＥ１００にキャリアセンスを開始させるためのトリガとして用いられる。ＵＥ１００は、一般周波数帯を経由することによって、特定周波数帯において干渉が発生している場合であっても、確実に測定指示を受信できる。
【０２１０】
ステップＳ７１３からＳ７１８は、ステップＳ５１３からＳ５１８に対応する。
【０２１１】
（変更例２−４）
次に、第２実施形態の変更例４（変更例２−４）に係る動作について、図１４を用いて説明する。図１４は、第２実施形態の変更例４に係る動作を説明するためのシーケンス図である。本変更例は、Ｓｔａｎｄａｌｏｎｅケースである。上述した各実施形態と重複する部分は、説明を適宜省略する。
【０２１２】
本変更例では、Ｕ−Ｃｅｌｌ及びＵＥ１００のそれぞれが、特定周波数帯におけるＵＥ１００の受信品質が閾値よりも低いと判定する。
【０２１３】
図１４に示すように、ステップＳ８０１において、Ｕ−Ｃｅｌｌ（Ｕ−ＰＣｅｌｌ又はＵ−ＳＣｅｌｌ）は、閾値設定情報（Ｔｈｒｅｓｈｏｌｄ  ｃｏｎｆｉｇ．）をＵＥ１００に送信する。閾値設定情報は、以下の情報を含むことができる。
【０２１４】
・復号失敗閾値を示す情報（ステップＳ４０１参照）
・再送タイマ（Ｔ−ｒｅｔｒａｎｓｍｉｓｓｉｏｎ）を示す情報
・再送回数（Ｎ−ｒｅｔｒａｎｓｍｉｓｓｉｏｎ）を示す情報
【０２１５】
ＵＥ１００は、閾値設定情報に含まれる情報を設定する。閾値設定情報が復号失敗閾値を示す情報を含むことにより、Ｕ−ＣｅｌｌとＵＥ１００とは、復号失敗閾値を共有することができる。
【０２１６】
ステップＳ８０２からステップＳ８０７は、ステップＳ７０２からＳ７０７に対応する。なお、Ｕ−Ｃｅｌｌ（Ｕ−ＰＣｅｌｌ又はＵ−ＳＣｅｌｌ）は、ＮＡＣＫの受信回数（或いは、ＡＣＫの受信失敗回数）をカウントし、ＵＥ１００のそれぞれは、ＮＡＣＫの送信回数をカウントする。Ｕ−ＣｅｌｌとＵＥ１００とは、カウントした回数と復号失敗閾値とを比較する。
【０２１７】
ステップＳ８０８及びＳ８０９は、ステップＳ４１０及びＳ４１４に対応する。ステップＳ８１０からＳ８１３は、ステップＳ７０８、Ｓ７１０、Ｓ７１１、Ｓ７１３に対応する。ステップＳ８１４及びＳ８１５は、ステップＳ４１５及びＳ４１６に対応する。
【０２１８】
ステップＳ８１６において、ＵＥ１００が、再送タイマを設定している場合、ステップＳ８１５の再送要求の送信に基づいて、再送タイマがスタートする。なお、一般周波数帯を利用せずに、特定周波数帯を利用して再送要求を送信したことをトリガとして、再送タイマがスタートしてもよい。これは、特定周波数帯は免許不要で利用できるため、一般周波数帯に比べて、Ｕ−Ｃｅｌｌが再送要求を受信できない可能性が高いからである。
【０２１９】
ステップＳ８１７において、ステップＳ８１５の再送要求を受信したＵ−Ｃｅｌｌは、特定周波数帯を利用したＵＥ１００へのデータの送信を再開する。Ｕ−Ｃｅｌｌは、ＵＥ１００からの再送要求に加えて、Ｓ８１３において、空きチャネルを（所定期間）検知した場合に、ＵＥ１００へのデータの送信を再開してもよい。
【０２２０】
ステップＳ８１８において、再送タイマがスタートしていた場合、ＵＥ１００は、ＵＣｅｌｌからのデータの受信に応じて、再送タイマを停止する。
【０２２１】
一方、ステップＳ８１９において、Ｕ−Ｃｅｌｌからのデータを受信する前に再送タイマが満了した場合、ステップＳ８２０において、ＵＥ１００は、再送要求を再送する。その後、再送タイマがスタートしてもよい。再送回数を設定しているＵＥ１００は、再送回数を超えても、Ｕ−Ｃｅｌｌからのデータを受信できない場合、再送要求の再送を終了する。
【０２２２】
［その他の実施形態］
上述した各実施形態において、一般周波数帯を管理するｅＮＢ２００と特定周波数帯を管理するｅＮＢ２００とは、同一であってもよいし、異なってもよい。また、上述した実施形態では、一般周波数帯を管理するｅＮＢ２００と特定周波数帯を管理するｅＮＢ２００とが異なる場合には、一般周波数帯が利用されたセル（例えば、ＰＣｅｌｌ）と特定周波数帯が利用されたセル（例えば、Ｕ−ＳＣｅｌｌ）との信号のやり取りには、Ｘ１インターフェイス又はＳ１インターフェイスを用いることができる。また、バックホールは、有線回線でもよいし、無線であってもよい。
【０２２３】
また、上述した各実施形態において、ＰＣｅｌｌがＵＥ１００に送信する設定情報は、以下の情報を含んでもよい。
【０２２４】
・特定周波数帯における特別なセルを示す特別セル情報
・ＵＥ１００が干渉状況を測定する周期を示す周期情報
【０２２５】
ＵＥ１００は、特別セル情報の受信によって、干渉状況の測定が必要であると判断したり、ＷＬＡＮリンクを用いた通信を行うと判断したりすることができる。
【０２２６】
ＵＥ１００は、周期情報によって示される周期内で（１回）干渉状況を必ず測定する。ＵＥ１００は、周期情報によって示される周期で干渉状況を測定してもよい。
【０２２７】
上述した第２実施形態において、ＭｅＮＢ（ＰＣｅｌｌ）は、スプリットベアラが確立されている場合には、Ｓ２０８においてＵＥ１００からの測定報告を受信した後、ＵＥ１００からの測定報告及びＳｅＮＢ（Ｕ−ｐＳＣｅｌｌ）からの測定報告に基づいて、ＵＥ１００のデータをＳｅＮＢに転送するか否かを判定してもよい。ＰＣｅｌｌは、空きチャネルがある場合に、ＵＥ１００のデータをＵ−ＳＣｅｌｌに転送を開始してもよい。この場合、ＭｅＮＢは、Ｓ２１３におけるＵＥ１００からの測定報告に基づいて空きチャネルがないと判定した場合、ＳｅＮＢへのＵＥ１００のデータの転送を停止してもよい。
【０２２８】
なお、スプリットベアラでは、ＤＣにおいて、ＭｅＮＢ及びＳｅＮＢの両方のリソースを使用するために、ＭｅＮＢ及びＳｅＮＢの両方に当該ベアラの無線プロトコルが位置する。スプリットベアラでは、ＵＥ１００とＰ−ＧＷとの間でＭｅＮＢ２００−１において分割されており、分割された一方（ｓｐｌｉｔ  ｂｅａｒｅｒ）はＳｅＮＢ２００−２を経由してＵＥ１００で終端し、分割された他方（ｓｐｌｉｔ  ｂｅａｒｅｒ）はＳｅＮＢ２００−２を経由せずにＵＥ１００で終端する。
【０２２９】
上述した第２及び第３実施形態において、ＵＥ１００は、ＮＡＣＫの送信回数が復号失敗閾値に達したことに応じて、停止要求をＰＣｅｌｌ又はｐＳＣｅｌｌに送信していたが、これに限られない。ＵＥ１００は、ＮＡＣＫの送信回数にかかわらず、データの復号失敗の回数が閾値（復号失敗閾値）に達した場合に、停止要求を送信してもよい。
【０２３０】
上述した第２及び第３実施形態において、ＵＥ１００は、停止要求をＰＣｅｌｌ又はｐＳＣｅｌｌに送信していたが、これに限られない。ＵＥ１００は、停止要求の代わりに、データの復号の失敗回数が上限値に達したことを示す通知をＰＣｅｌｌ又はｐＳＣｅｌｌに送信してもよい。
【０２３１】
また、上述した各実施形態において、ｅＮＢの代わりに、例えば、ＲＲＨ基地局（Ｒｅｍｏｔｅ  Ｒａｄｉｏ  Ｈｅａｄ）が特定周波数帯及び／又は一般周波数帯を管理していてもよい。この場合、バックホールの代わりに、ＲＲＨとＢＢＨ（Ｂａｓｅ  Ｂａｎｄ  Ｕｎｉｔ）とを繋ぐフロントホールを用いて他のＲＲＨに情報が通知できる。
【０２３２】
また、特定周波数帯を管理するｅＮＢは、一般周波数帯（マクロセル又はスモールセル）を管理するｅＮＢとコロケーティッドであってもよく、無線ＬＡＮアクセスポイントとコロケーティッドであってもよい。
【０２３３】
また、上述した各実施形態において、ＵＥ１００は、特定周波数帯を利用したデータの受信状況が閾値以上である場合には、ＡＣＫ／ＮＡＣＫを特定周波数帯を利用して送信し、当該受信状況が閾値未満である場合は、ＡＣＫ／ＮＡＣＫを一般周波数帯を利用して送信してもよい。或いは、ＵＥ１００は、ＡＣＫ／ＮＡＣＫを特定周波数帯及び一般周波数帯の両方を利用して送信してもよい。
【０２３４】
また、上述した各実施形態では、Ｓｔａｎｄａｌｏｎｅ  ｗｉｔｈ  ＬＡＡケースにおいて、ＵＥ１００は、Ｕ−ｐＳＣｅｌｌ及びＵ−ＳＣｅｌｌからデータを受信していたが、これに限られない。ＵＥ１００は、Ｕ−ｐＳＣｅｌｌからのみデータを受信してもよい。或いは、ＵＥ１００は、特定周波数帯をＭｅＮＢが管理するセル（Ｕ−ＰＣｅｌｌ）からデータを受信してもよい。この場合、ＭｅＮＢは、ＰＣｅｌｌ及びＵ−ＰＣｅｌｌを管理する。
【０２３５】
また、上述した各実施形態において、Ｓｔａｎｄａｌｏｎｅケースは、ＤＣにおいて特定周波数帯を、ＭｅＮＢが管理するセル（Ｕ−ＰＣｅｌｌ）及びＳｅＮＢが管理するセル（Ｕ−ｐＳＣｅｌｌ、Ｕ−ＳＣｅｌｌ）として利用するケースであってもよい。
【０２３６】
上述した実施形態では、移動通信システムの一例としてＬＴＥシステムを説明したが、ＬＴＥシステムに限定されるものではなく、ＬＴＥシステム以外のシステムに本出願の内容を適用してもよい。
【０２３７】
なお、日本国特許出願第２０１４−１５９３８６号（２０１４年８月５日出願）の全内容が、参照により、本願明細書に組み込まれている。
【産業上の利用可能性】
【０２３８】
以上のように、本実施形態に係る移動通信システム、ユーザ端末、基地局、プロセッサ及び通信制御方法によれば、特定周波数帯を有効活用できるため、移動通信分野において有用である。
【図１】
2020074623.tif 000003
【図２】
2020074623.tif 000004
【図３】
2020074623.tif 000005
【図４】
2020074623.tif 000006
【図５】
2020074623.tif 000007
【図６】
2020074623.tif 000008
【図７】
2020074623.tif 000009
【図８】
2020074623.tif 000010
【図９】
2020074623.tif 000011
【図１０】
2020074623.tif 000012
【図１１】
2020074623.tif 000013
【図１２】
2020074623.tif 000014
【図１３】
2020074623.tif 000015
【図１４】
2020074623.tif 000016